(57)【要約】【課題】、故紙を収納すると共に収納された故紙を容易に梱包し得るようにした故紙収納梱包器を提供する。【解決手段】故紙（３）の収納容器（１）は底板（５）と第一側板（７）と第二側板（９）と第三側板（１１）と第四側板（１３）とを有し、底板の下方には紐繰り出し手段（１５）を配設し、紐繰り出し手段から繰り出された紐（１７）を予め第一側板〜第四側板と底板とにおける所定の位置に導き、梱包時には該紐を第一側板の上縁に位置する第一の部分（１７ｂ）にて切断し、紐における該第二側板の上縁（９ｄ）と該第三側板の上縁（１１ａ）とに位置する第二の部分（１７ｃ）を収納容器内の故紙の上面に引き出すと共に該紐における該第四側板の上縁中央部（１３ｃ）より該収納容器の内側にたれ下げられている第三の部分（１７ｄ）を該紐における第二の部分と第一の部分の切断端（１７ｂ‘）とに結着させる。【選択図】図１
2004203410.tif 000002
【特許請求の範囲】
【請求項１】
故紙（３）を積み重ねた状態で収納するに適し且つ上端を開口した中空直方体状の収納容器（１）を備え、該収納容器は底板（５）、相対向する第一側板（７）と第二側板（９）、及び相対向する第三側板（１１）と第四側板（１３）を有し、該底板の下方には紐繰り出し手段（１５）を配設し、
該収納容器内に故紙を収納する前に、該紐繰り出し手段から繰り出された紐（１７）を第一側板（７）に沿って該第一側板の上縁（７ａ）に導き、該第一側板の上縁（７ａ）に沿って該第一側板の上縁中央部（７ｂ）に導き、該第一側板の上縁中央部（７ｂ）から該第一側板の中央部（７ｃ）に沿って前記底板（５）の上面（５ａ）に導き、該底板の上面中央部（５ｂ）に沿って第二側板（９）の下端中央部（９ａ）に導き、該第二側板の下端中央部（９ａ）から該第二側板の中央部（９ｂ）に沿って該第二側板の上縁中央部（９ｃ）に導き、該第二側板の上縁中央部（９ｃ）から該第二側板の上縁（９ｄ）と第三側板（１１）の上縁（１１ａ）とに沿って該第三側板の上縁中央部（１１ｂ）に導き、該第三側板の上縁中央部（１１ｂ）から該第三側板の中央部（１１ｃ）に沿って前記底板の上面（５ａ）に導き、該底板の上面中央部（５ｃ）に沿って第四側板（１３）の下端中央部（１３ａ）に導き、該第四側板の下端中央部（１３ａ）から該第四側板の中央部（１３ｂ）に沿って該第四側板の上縁中央部（１３ｃ）に導き、該紐の先端（１７ａ）を該第四側板の上縁中央部（１３ｃ）より前記収納容器の内側にたれ下げ、
該収納容器内に積み重ねられた故紙が前記各側板の上縁付近に達したときに、該紐を該第一側板の上縁に位置する第一の部分（１７ｂ）にて切断し、該紐における該第二側板の上縁（９ｄ）と該第三側板の上縁（１１ａ）とに位置する第二の部分（１７ｃ）を該収納容器内に積み重ねられた故紙の上面に引き出すと共に該紐における該第四側板の上縁中央部（１３ｃ）より該収納容器の内側にたれ下げられている第三の部分（１７ｄ）を該紐における第二の部分と第一の部分の切断端（１７ｂ‘）とに結着させることにより、該収納容器内に積み重ねられた故紙を梱包するようにしたことを特徴とする故紙収納梱包器。
【請求項２】
前記紐繰り出し手段（１５）から繰り出された紐（１７）を前記第一側板（７）に沿って該第一側板の上縁（７ａ）に導くために、該第一側板の肉厚内に案内孔（２３）を形成し、該紐を該案内孔に挿通させて該第一側板の上縁に導くようにしたことを特徴とする請求項１に記載の故紙収納梱包器。
【請求項３】
前記紐を前記第一側板、第二側板、第三側板及び第四側板の各中央部に沿って上下方向に導くために、該第一側板、第二側板、第三側板及び第四側板の各中央部における内面側にそれぞれ案内溝（２５）を形成し、該紐を該案内溝に対し該収納容器の内側方向に取り出し可能に挿通させるようにしたことを特徴とする請求項１又は２に記載の故紙収納梱包器。
【請求項４】
前記紐における前記第一の部分（１７ｂ）に対応する前記第一側板の上縁（７ａ）と、前記第二の部分（１７ｃ）に対応する第二側板の上縁（９ｄ）と第三側板の上縁（１１ａ）とに、それぞれ案内溝（２７）を形成し、該紐を各案内溝に対し上方に取り出し可能に挿通させるようにしたことを特徴とする請求項１〜３のいずれかに記載の故紙収納梱包器。
【請求項５】
前記紐における前記第二の部分（１７ｃ）に対応する第二側板の上縁（９ｄ）と第三側板の上縁（１１ａ）とに収納容器（１）の内側方向から案内溝（２７）上に突出する張り出し部（２９）を形成したことを特徴とする請求項１〜４のいずれかに記載の故紙収納梱包器。
【発明の詳細な説明】
【０００１】
【発明の属する技術分野】
本発明は、故紙収納梱包器に関するものであり、更に詳しくは、故紙を収納すると共に該故紙を容易に梱包し得るようにした故紙収納梱包器に係るものである。
【０００２】
特許請求の範囲を含む本明細書において「故紙」とは、新聞紙、雑誌その他の書籍又はチラシ、広告紙、コピー用紙、印刷用紙その他の平判紙であって使用済みのものをいう。
【０００３】
【従来の技術】
新聞紙等の故紙は、一般に、使用後、順次収納容器内に収納され、該収納容器内の故紙が一定量に達したときには、該故紙を該容器から取り出し、紙紐により梱包した状態で所定の故紙回収場所に運搬し、回収させている。なお、本出願人は、故紙収納梱包器に関する先行技術文献情報を有しない。
【０００４】
【発明が解決しようとする課題】
しかるに、紙紐により故紙を梱包する作業は容易ではなく、梱包した故紙を故紙回収場所に運搬する際に荷姿が崩れ、或いは紙紐から故紙が脱落することも往々にしてあり得る。
【０００５】
本発明は、このような問題を解決し、故紙を収納すると共に該故紙を容易に梱包し得るようにした新規な故紙収納梱包器を提供しようとしてなされたものである。
【０００６】
【課題を解決するための手段】
上記課題を解決するために、本発明は下記の故紙収納梱包器を提供するものである。
【０００７】
［１］故紙（３）を積み重ねた状態で収納するに適し且つ上端を開口した中空直方体状の収納容器（１）を備え、該収納容器は底板（５）、相対向する第一側板（７）と第二側板（９）、及び相対向する第三側板（１１）と第四側板（１３）を有し、該底板の下方には紐繰り出し手段（１５）を配設し、
該収納容器内に故紙を収納する前に、該紐繰り出し手段から繰り出された紐（１７）を第一側板（７）に沿って該第一側板の上縁（７ａ）に導き、該第一側板の上縁（７ａ）に沿って該第一側板の上縁中央部（７ｂ）に導き、該第一側板の上縁中央部（７ｂ）から該第一側板の中央部（７ｃ）に沿って前記底板（５）の上面（５ａ）に導き、該底板の上面中央部（５ｂ）に沿って第二側板（９）の下端中央部（９ａ）に導き、該第二側板の下端中央部（９ａ）から該第二側板の中央部（９ｂ）に沿って該第二側板の上縁中央部（９ｃ）に導き、該第二側板の上縁中央部（９ｃ）から該第二側板の上縁（９ｄ）と第三側板（１１）の上縁（１１ａ）とに沿って該第三側板の上縁中央部（１１ｂ）に導き、該第三側板の上縁中央部（１１ｂ）から該第三側板の中央部（１１ｃ）に沿って前記底板の上面（５ａ）に導き、該底板の上面中央部（５ｃ）に沿って第四側板（１３）の下端中央部（１３ａ）に導き、該第四側板の下端中央部（１３ａ）から該第四側板の中央部（１３ｂ）に沿って該第四側板の上縁中央部（１３ｃ）に導き、該紐の先端（１７ａ）を該第四側板の上縁中央部（１３ｃ）より前記収納容器の内側にたれ下げ、
該収納容器内に積み重ねられた故紙が前記各側板の上縁付近に達したときに、該紐を該第一側板の上縁に位置する第一の部分（１７ｂ）にて切断し、該紐における該第二側板の上縁（９ｄ）と該第三側板の上縁（１１ａ）とに位置する第二の部分（１７ｃ）を該収納容器内に積み重ねられた故紙の上面に引き出すと共に該紐における該第四側板の上縁中央部（１３ｃ）より該収納容器の内側にたれ下げられている第三の部分（１７ｄ）を該紐における第二の部分と第一の部分の切断端（１７ｂ‘）とに結着させることにより、該収納容器内に積み重ねられた故紙を梱包するようにしたことを特徴とする故紙収納梱包器（請求項１）。
【０００８】
［２］前記紐繰り出し手段（１５）から繰り出された紐（１７）を前記第一側板（７）に沿って該第一側板の上縁（７ａ）に導くために、該第一側板の肉厚内に案内孔（２３）を形成し、該紐を該案内孔に挿通させて該第一側板の上縁に導く（請求項２）。
【０００９】
［３］前記紐を前記第一側板、第二側板、第三側板及び第四側板の各中央部に沿って上下方向に導くために、該第一側板、第二側板、第三側板及び第四側板の各中央部における内面側にそれぞれ案内溝（２５）を形成し、該紐を該案内溝に対し該収納容器の内側方向に取り出し可能に挿通させる（請求項３）。
【００１０】
［４］前記紐における前記第一の部分（１７ｂ）に対応する前記第一側板の上縁（７ａ）と、前記第二の部分（１７ｃ）に対応する第二側板の上縁（９ｄ）と第三側板の上縁（１１ａ）とに、それぞれ案内溝（２７）を形成し、該紐を各案内溝に対し上方に取り出し可能に挿通させる（請求項４）。
【００１１】
［５］前記紐における前記第二の部分（１７ｃ）に対応する第二側板の上縁（９ｄ）と第三側板の上縁（１１ａ）とに収納容器（１）の内側方向から案内溝（２７）上に突出する張り出し部（２９）を形成する（請求項５）。
【００１２】
【作用】
［請求項１の故紙収納梱包器］
収納容器内に積み重ねられた故紙は該収納容器により直方体状に整列された状態に保持されている。また、該故紙は、収納容器から取り出すことなく、該収納容器内に収納したままの状態で紐により梱包される。しかも、紐は第一側板〜第四側板における上下方向の中央部及び底板における縦横の中央部に位置しており、紐全体が連続する一本のものである。従って、収納容器内に積み重ねられた故紙は、直方体状に整列した状態で、該直方体における各面の中央部を通る連続する一本の紐により十文字状に正確に梱包される。図３参照。このようにして梱包された故紙は収納容器から取り出され、該収納容器は空になる。
【００１３】
この時点では、紐における第一側板の上縁に位置する第一の部分（１７ｂ）の切断端（１７ｂ‘）は該第一側板の上縁に位置している。従って、次回の故紙の梱包のために、該紐の切断端を第一側板の上縁から請求項１に示す如く収納容器の第一側板〜第四側板と底板とに配設する。
【００１４】
［請求項２の故紙収納梱包器］
紐繰り出し手段から繰り出された紐における第一側板に沿って該第一側板の上縁に至る部分は収納容器内に現に積み重ねられている故紙を梱包するものではなく、次回の故紙の梱包用に使用されるものである。従って、紐における第一側板に沿って該第一側板の上縁に至る部分は、第一側板の肉厚内に形成された案内孔に挿通させる。
【００１５】
［請求項３の故紙収納梱包器］
紐における第一側板、第二側板、第三側板及び第四側板の各中央部に沿って上下方向に位置する部分は、収納容器内に積み重ねられている故紙に巻き付けられるものであり、梱包時には、第一側板、第二側板、第三側板及び第四側板の各中央部に形成された案内溝から収納容器の内側方向に取り出される。
【００１６】
［請求項４の故紙収納梱包器］
紐における前記第一の部分（１７ｂ）は梱包時に切断されるものであり、切断時には、当該第一の部分を第一側板の上縁に形成された案内溝から取り出して切断する。紐における前記第二の部分（１７ｃ）は、梱包時には、第二側板の上縁と第三側板の上縁とにそれぞれ形成された案内溝から取り出し、収納容器内に積み重ねられた故紙の上面に引き出す。
【００１７】
［請求項５の故紙収納梱包器］
前記紐における前記第二の部分（１７ｃ）に対応する第二側板の上縁と第三側板の上縁とに収納容器の内側方向から案内溝上に突出する張り出し部を形成したため、紐における前記第二の部分に対応する第二側板の上縁と第三側板の上縁とに形成される案内溝から紐における当該第二の部分が脱出することが防止される。
【００１８】
【発明の実施の形態】
次に、本発明の実施の形態を添付図面に従って説明する。
【００１９】
符号１に示すものは収納容器である。収納容器１は、故紙３を積み重ねた状態で収納するに適し、上端１ａを開口した中空直方体状をなすものである。
【００２０】
収納容器１は底板５（図８参照）、相対向する第一側板７と第二側板９、及び相対向する第三側板１１と第四側板１３を有する。
【００２１】
底板５の下方には紐繰り出し手段１５を配設する。紐繰り出し手段１５は、例えば紙紐等の紐１７を繰り出し自在に巻き付けた回転自在のリールないしドラムとする。
【００２２】
紐繰り出し手段１５から繰り出された紐１７は、故紙を収納容器１に収納する前に、予め下記の如く収納容器１に配設される。
【００２３】
（１）紐繰り出し手段１５から繰り出された紐１７を第一側板７に沿って上方に該第一側板７の上縁７ａに導く。
【００２４】
（２）紐１７を第一側板７の上縁７ａに沿って水平方向に該第一側板７の上縁中央部７ｂに導く。
【００２５】
（３）紐１７を第一側板７の上縁中央部７ｂから該第一側板７の中央部７ｃに沿って下方に前記底板５の上面５ａに導く。
【００２６】
（４）紐１７を底板５の上面中央部５ｂに沿って水平方向に第二側板９の下端中央部９ａに導く。
【００２７】
（５）紐１７を第二側板９の下端中央部９ａから該第二側板９の中央部９ｂに沿って上方に該第二側板９の上縁中央部９ｃに導く。
【００２８】
（６）紐１７を第二側板９の上縁中央部９ｃから第二側板９の上縁９ｄと第三側板１１の上縁１１ａとに沿って水平方向に該第三側板１１の上縁中央部１１ｂに導く。
【００２９】
（７）紐１７を第三側板１１の上縁中央部１１ｂから該第三側板１１の中央部１１ｃに沿って下方に底板５の上面５ａに導く。
【００３０】
（８）紐１７を底板５の上面中央部５ｃに沿って水平方向に第四側板１３の下端中央部１３ａに導く。底板５における上面中央部５ｃは前記上面中央部５ｂと直交する。即ち、紐１７は底板５の上面５ａにて直角に重なり合う。
【００３１】
（９）紐１７を第四側板１３の下端中央部１３ａから該第四側板１３の中央部１３ｂに沿って上方に該第四側板１３の上縁中央部１３ｃに導く。
【００３２】
（１０）紐１７の先端１７ａを第四側板１３の上縁中央部１３ｃより収納容器１の内側にたれ下げる。
【００３３】
以上の如く、紐１７を収納容器１に配設した後、故紙３を該収納容器1内に積み重ねる。
【００３４】
収納容器１内に積み重ねられた故紙３が各側板７、９、１１、１３の上縁付近に達したときに、紐１７を第一側板７の上縁７ａに位置する第一の部分１７ｂにて切断し、該紐１７における第二側板９の上縁９ｄと第三側板１１の上縁１１ａとに位置する第二の部分１７ｃを収納容器１内に積み重ねられた故紙３の上面に引き出すと共に該紐１７における第四側板１３の上縁中央部１３ｃより収納容器１の内側にたれ下げられている第三の部分１７ｄを該紐１における第二の部分１７ｃと第一の部分１７ｂの切断端１７ｂ‘とに結着させることにより、収納容器１内に積み重ねられた故紙３を梱包する。図２参照
【００３５】
前記紐繰り出し手段１５から繰り出された紐１７を前記第一側板７に沿って上方に該第一側板７の上縁７ａに導くために、好ましくは、該第一側板７の肉厚内に案内孔２３を形成し、該紐１７を該案内孔２３に挿通させて該第一側板７の上縁７ａに導く。図６参照。
【００３６】
紐１７を前記第一側板７、第二側板９、第三側板１１及び第四側板１３の各中央部７ｃ、９ｂ、１１ｃ、１３ｂに沿って上下方向に導くために、好ましくは、該第一側板７、第二側板９、第三側板１１及び第四側板１３の各中央部７ｃ、９ｂ、１１ｃ、１３ｂにおける内面側にそれぞれ案内溝２５を形成し、該紐１７を該案内溝２５に対し収納容器１の内側方向に取り出し可能に挿通させる。図４参照。このとき、紐１７は一例としてピンセットの如き挟持具により挟持して案内溝２５に挿通させる。
【００３７】
紐１７における前記第一の部分１７ｂに対応する第一側板７の上縁７ａと、前記第二の部分１７ｃに対応する第二側板９の上縁９ｄと第三側板１１の上縁１１ａとに、それぞれ案内溝２７を形成し、該紐１７を各案内溝２７に対し上方に取り出し可能に挿通させる。図５参照。このときも、紐１７は一例としてピンセットの如き挟持具により挟持して案内溝２７に挿通させる。
【００３８】
なお、紐１７における前記第二の部分１７ｃに対応する第二側板９の上縁９ｄと第三側板１１の上縁１１ａとに形成される案内溝２７から紐１７における当該第二の部分１７ｃが脱出することを防止するために、図７に示すように、紐１７における前記第二の部分１７ｃに対応する第二側板９の上縁９ｄと第三側板１１の上縁１１ａとに収納容器１の内側方向から案内溝２７上に突出する張り出し部２９を形成することが望ましい。
【００３９】
【発明の効果】
以上説明したように、本発明によれば、収納容器内に積み重ねられた故紙は該収納容器により直方体状に整列された状態に保持されている。また、該故紙は、収納容器から取り出すことなく、該収納容器内に収納したままの状態で紐により梱包される。しかも、紐は第一側板〜第四側板における上下方向の中央部及び底板における縦横の中央部に位置しており、紐全体が連続する一本のものである。従って、収納容器内に積み重ねられた故紙は、直方体状に整列した状態で、該直方体における各面の中央部を通る連続する一本の紐により十文字状に正確且つ容易に梱包される。
【図面の簡単な説明】
【図１】本発明による故紙収納梱包器の一例を示す斜視図である。
【図２】同上故紙収納梱包器において、収納容器内の故紙を梱包している状態を示す斜視図である。
【図３】梱包した後、収納容器から取り出した故紙を示す斜視図である。
【図４】図１のIＶ−IＶ線における断面図である。
【図５】図１のＶ−Ｖ線における断面図である。
【図６】図１のＶＩ−ＶI線における断面図である。
【図７】図１のＶＩI−ＶII線における断面図である。
【図８】収納容器の下部を示す縦断面図である。
【符号の説明】
１  収納容器
１ａ  上端
３  故紙
５  底板
５ａ  上面
５ｂ  上面中央部
５ｃ  上面中央部
７  第一側板
７ａ  上縁
７ｂ  上縁中央部
７ｃ  中央部
９  第二側板
９ａ  下端中央部
９ｂ  中央部
９ｃ  上縁中央部
９ｄ  上縁
１１  第三側板
１１ａ  上縁
１１ｂ  上縁中央部
１１ｃ  中央部
１３  第四側板
１３ａ  下端中央部
１３ｂ  中央部
１３ｃ  上縁中央部
１５  紐繰り出し手段
１７  紐
１７ａ  先端
１７ｂ  第一の部分
１７ｂ‘  切断端
１７ｃ  第二の部分
１７ｄ  第三の部分
２３  案内孔
２５  案内溝
２７  案内溝
２９  張り出し部
【図１】
2004203410.tif 000003
【図２】
2004203410.tif 000004
【図３】
2004203410.tif 000005
【図４】
2004203410.tif 000006
【図５】
2004203410.tif 000007
【図６】
2004203410.tif 000008
【図７】
2004203410.tif 000009
【図８】
2004203410.tif 000010